(57)【要約】【課題】出力に応じて、適切な音量制御を実行可能な音楽再生装置を提供すること。【解決手段】ＤＡＰ１は、複数のボリューム制御を有する。また、ＤＡＰ１は、デジタルオーディオデータをアナログオーディオデータに変換するＤＡＣ７と、ＣＰＵ２と、を備える。ヘッドホン１０１、１０２のみに関するボリューム制御を、ヘッドホン出力から最も近くでボリューム調整機能を有するＤＡＣ７が実行する。ＣＰＵ２は、複数のボリューム制御のうち、ヘッドホン１０１、１０２のみに関するボリューム制御を除くボリューム制御を実行する。【選択図】図２
2017050671.tif 000002
【特許請求の範囲】
【請求項１】
複数の音量制御を有する音楽再生装置であって、
デジタル音声信号をアナログ音声信号に変換するＤ／Ａコンバーターと、
制御部と、を備え、
ヘッドホンのみに関する音量制御を、ヘッドホン出力から最も近くで音量調整機能を有する前記Ｄ／Ａコンバーターが実行することを特徴とする音楽再生装置。
【請求項２】
前記制御部は、前記複数の音量制御のうち、前記ヘッドホンのみに関する音量制御を除く音量制御を実行することを特徴とする請求項１に記載の音楽再生装置。
【請求項３】
前記ヘッドホンのみに関する音量制御は、ヘッドホンのインピーダンスに応じてゲインを制御するゲイン制御であることを特徴とする請求項１又は２に記載の音楽再生装置。
【請求項４】
前記ヘッドホンのみに関する音量制御は、所定の音圧レベルを上限に音量を制限する音圧規制であることを特徴とする請求項１又は２に記載の音楽再生装置。
【請求項５】
前記ヘッドホンのみに関する音量制御を除く音量制御は、受け付けた音量に調整する音量処理であることを特徴とする請求項１又は２に記載の音楽再生装置。
【請求項６】
前記ヘッドホンのみに関する音量制御を除く音量制御は、受け付けた上限に音量を制限する音量上限設定であることを特徴とする請求項１又は２に記載の音楽再生装置。
【請求項７】
前記ヘッドホンのみに関する音量制御を除く音量制御は、Ｌチャンネル、Ｒチャンネルの音量バランスを調整するＬＲバランス処理であることを特徴とする請求項１又は２に記載の音楽再生装置。
【請求項８】
バランスモードと、
２つの増幅器のうち、一方の増幅器でアナログ音声信号を増幅し、他方の増幅器でグラウンドを維持する、アクティブコントロールグラウンドモードと、を有し、
前記ヘッドホンのみに関する音量制御を除く音量制御は、一方のモードから他方のモードへの切替時に、音量を自動的に調整する自動音量調整であることを特徴とする請求項１又は２に記載の音楽再生装置。
【請求項９】
前記ヘッドホンのみに関する音量制御は、
ヘッドホンのインピーダンスに応じてゲインを制御するゲイン制御と、
所定の音圧レベルを上限に音量を制限する音圧規制と、であり、
前記ヘッドホンのみに関する音量制御を除く音量制御は、
受け付けた音量に調整する音量処理と、
受け付けた上限に音量を制限する音量上限設定と、
Ｌチャンネル、Ｒチャンネルの音量バランスを調整するＬＲバランス処理と、
バランスモードと、２つの増幅器のうち、一方の増幅器でアナログ音声信号を増幅し、他方の増幅器でグラウンドを維持する、アクティブコントロールグラウンドモードと、を有し、一方のモードから他方のモードへの切替時に、音量を自動的に調整する自動音量調整と、
であることを特徴とする請求項１又は２に記載の音楽再生装置。
【請求項１０】
バランス方式のヘッドホンには、全ての音量制御が実行された音声信号が出力されることを特徴とする請求項９に記載の音楽再生装置。
【請求項１１】
アンバランス方式のヘッドホンには、前記自動音量調整以外の音量制御が実行された音声信号が出力されることを特徴とする請求項９に記載の音楽再生装置。
【請求項１２】
ヘッドホン以外には、前記音量処理と、前記ＬＲバランス処理と、前記音量上限設定と、が実行された音声信号が出力されることを特徴とする請求項９に記載の音楽再生装置。
【請求項１３】
ラインアウト出力には、全ての音量制御が実行されていない音声信号が出力されることを特徴とする請求項９に記載の音楽再生装置。
【発明の詳細な説明】
【技術分野】
【０００１】
本発明は、音声信号を出力する音楽再生装置に関する。
【背景技術】
【０００２】
音声信号を出力する音楽再生装置において、複数の出力を有する音楽再生装置がある（例えば、特許文献１参照。）。例えば、音楽再生装置は、アンバランス方式のヘッドホン出力、バランス方式のヘッドホン出力、Ｗｉ−Ｆｉ規格に従ったＷｉ−Ｆｉ出力、Ｂｌｕｅｔｏｏｔｈ（登録商標）規格に従ったＢｌｕｅｔｏｏｔｈ（登録商標）出力、ＵＳＢオーディオクラスに従ったＵＳＢ出力、スピーカー出力を有する。
【０００３】
また、音楽再生装置において、複数の音量制御を有する音楽再生装置がある。例えば、音楽再生装置は、音量を受け付けた上限に制限する音量上限設定、Ｌチャンネル、Ｒチャンネルの音量バランスを調整するＬＲバランス処理、モード切替時に音量を調整する自動音量調整、ヘッドホンのインピーダンスに従ってゲイン調整するゲイン制御、欧州音圧規制で定義される音圧レベルを上限に、音量を制限する欧州音圧規制を有する。
【先行技術文献】
【特許文献】
【０００４】
【特許文献１】特開２０１４−２２２５０２号公報
【発明の概要】
【発明が解決しようとする課題】
【０００５】
複数の出力と、複数の音量制御と、を有する音楽再生装置においては、出力に応じて、実行する音量制御が異なる。従って、出力に応じて、適切な音量制御が実行される必要がある。
【０００６】
本発明の目的は、出力に応じて、適切な音量制御を実行可能な音楽再生装置を提供することである。
【課題を解決するための手段】
【０００７】
第１の発明の音楽再生装置は、複数の音量制御を有する音楽再生装置であって、デジタル音声信号をアナログ音声信号に変換するＤ／Ａコンバーターと、制御部と、を備え、ヘッドホンのみに関する音量制御を、ヘッドホン出力から最も近くで音量調整機能を有する前記Ｄ／Ａコンバーターが実行することを特徴とする。
【０００８】
例えば、ヘッドホンのみに関する音量制御として、欧州における音圧規制がある。ヘッドホンのみに関する音量制御は、ヘッドホン出力以外のスピーカー出力等に行う必要はない。このため、本発明では、ヘッドホンのみに関する音量制御を、ヘッドホン出力から最も近くで音量調整機能を有するＤ／Ａコンバーターが実行する。このように、本発明によれば、出力に応じて、適切な音量制御が実行される。
【０００９】
第２の発明の音楽再生装置は、第１の発明の音楽再生装置において、前記制御部は、前記複数の音量制御のうち、前記ヘッドホンのみに関する音量制御を除く音量制御を実行することを特徴とする。
【００１０】
本発明では、制御部は、複数の音量制御のうち、ヘッドホンのみに関する音量制御を除く音量制御を実行する。これにより、ヘッドホン出力を含む複数の出力に、ヘッドホンのみに関する音量制御を除く音量制御が実行される。
【００１１】
第３の発明の音楽再生装置は、第１又は第２の発明の音楽再生装置において、前記ヘッドホンのみに関する音量制御は、ヘッドホンのインピーダンスに応じてゲインを制御するゲイン制御であることを特徴とする。
【００１２】
第４の発明の音楽再生装置は、第１又は第２の発明の音楽再生装置において、前記ヘッドホンのみに関する音量制御は、所定の音圧レベルを上限に音量を制限する音圧規制であることを特徴とする。
【００１３】
第５の発明の音楽再生装置は、第１又は第２の発明の音楽再生装置において、前記ヘッドホンのみに関する音量制御を除く音量制御は、受け付けた音量に調整する音量処理であることを特徴とする。
【００１４】
第６の発明の音楽再生装置は、第１又は第２の発明の音楽再生装置において、前記ヘッドホンのみに関する音量制御を除く音量制御は、受け付けた上限に音量を制限する音量上限設定であることを特徴とする。
【００１５】
第７の発明の音楽再生装置は、第１又は第２の発明の音楽再生装置において、前記ヘッドホンのみに関する音量制御を除く音量制御は、Ｌチャンネル、Ｒチャンネルの音量バランスを調整するＬＲバランス処理であることを特徴とする。
【００１６】
第８の発明の音楽再生装置は、第１又は第２の発明の音楽再生装置において、バランスモードと、２つの増幅器のうち、一方の増幅器でアナログ音声信号を増幅し、他方の増幅器でグラウンドを維持する、アクティブコントロールグラウンドモードと、を有し、前記ヘッドホンのみに関する音量制御を除く音量制御は、一方のモードから他方のモードへの切替時に、音量を自動的に調整する自動音量調整であることを特徴とする。
【００１７】
第９の発明の音楽再生装置は、第１又は第２の発明の音楽再生装置において、前記ヘッドホンのみに関する音量制御は、ヘッドホンのインピーダンスに応じてゲインを制御するゲイン制御と、所定の音圧レベルを上限に音量を制限する音圧規制と、であり、前記ヘッドホンのみに関する音量制御を除く音量制御は、受け付けた音量に調整する音量処理と、受け付けた上限に音量を制限する音量上限設定と、Ｌチャンネル、Ｒチャンネルの音量バランスを調整するＬＲバランス処理と、バランスモードと、２つの増幅器のうち、一方の増幅器でアナログ音声信号を増幅し、他方の増幅器でグラウンドを維持する、アクティブコントロールグラウンドモードと、を有し、一方のモードから他方のモードへの切替時に、音量を自動的に調整する自動音量調整と、であることを特徴とする。
【００１８】
第１０の発明の音楽再生装置は、第９の発明の音楽再生装置において、バランス方式のヘッドホンには、全ての音量制御が実行された音声信号が出力されることを特徴とする。
【００１９】
第１１の発明の音楽再生装置は、第９の発明の音楽再生装置において、アンバランス方式のヘッドホンには、前記自動音量調整以外の音量制御が実行された音声信号が出力されることを特徴とする。
【００２０】
第１２の発明の音楽再生装置は、第９の発明の音楽再生装置において、ヘッドホン以外には、前記音量処理と、前記ＬＲバランス処理と、前記音量上限設定と、が実行された音声信号が出力されることを特徴とする。
【００２１】
第１３の発明の音楽再生装置は、第９の発明の音楽再生装置において、ラインアウト出力には、全ての音量制御が実行されていない音声信号が出力されることを特徴とする。
【発明の効果】
【００２２】
本発明によれば、出力に応じて、適切な音量制御が実行される。
【図面の簡単な説明】
【００２３】
【図１】本発明の実施形態に係るデジタルオーディオプレーヤーの構成を示すブロック図である。
【図２】デジタルオーディオプレーヤーにおけるオーディオデータの流れを示す図である。
【図３】ボリューム処理を説明するための図である。
【図４】ＬＲバランス処理を説明するための図である。
【図５】入出力に対して実行されるボリューム制御を示す図である。
【図６】入出力に対して実行されるボリューム制御を示す表である。
【発明を実施するための形態】
【００２４】
以下、本発明の実施形態について説明する。図１は、本発明の実施形態に係るデジタルオーディオプレーヤー（以下、「ＤＡＰ」という。）の構成を示すブロック図である。ＤＡＰ１（音楽再生装置）は、スピーカー１１、ヘッドホン１０１、１０２にアナログオーディオデータ（アナログ音声信号）を出力する。スピーカー１１、ヘッドホン１０１、１０２は、アナログオーディオデータに基づいて、音声を外部に出力する。ヘッドホン１０１は、バランス用のヘッドホンであり、バランス出力端子に接続される。ヘッドホン１０２は、アンバランス用のヘッドホンであり、アンバランス出力端子に接続される。ＤＡＰ１は、バランス出力とアンバランス出力とを有する。
【００２５】
図１に示すように、ＤＡＰ１は、ＣＰＵ２、記憶部３、表示部４、操作部５、ＤＳＰ６、Ｄ／Ａコンバーター（以下、「ＤＡＣ」という。）７、増幅回路８、無線モジュール９、ＵＳＢインターフェース（以下、「ＵＳＢ  Ｉ／Ｆ」という。）１０、スピーカー１１を備える。
【００２６】
ＣＰＵ（Central Processing Unit）２（制御部）は、制御プログラム、ＯＳプログラム、アプリケーションプログラムに従って、ＤＡＰ１を構成する各部を制御する。記憶部３は、ＣＰＵ２の主メモリとして機能するＲＡＭ（Random Access Memory）、制御プログラムを記憶するＲＯＭ（Read Only Memory）、ＯＳプログラム、アプリケーションプログラム等のプログラム、デジタルオーディオデータ等の各種データを記憶するフラッシュメモリから構成されている。なお、記憶部３は、例示する構成に限られず、ＨＤＤ（Hard Disk Drive）等を含んでいてもよい。
【００２７】
表示部４は、種々の画像（静止画像、動画像を含む）を表示するものであり、液晶パネルにより構成されている。操作部５は、各種設定を行うための操作キー、及び、表示部４と連動したタッチパネルを備えている。ユーザーは、操作部５を介して、各種の文字入力、設定などを行うことが可能である。
【００２８】
ＤＳＰ（Digital Signal Processor）６は、デジタルオーディオデータに、イコライザー処理等の信号処理、デコードを行う。ＤＡＣ７（Ｄ／Ａコンバーター）は、デジタルオーディオデータ（デジタル音声信号）をアナログオーディオデータ（アナログ音声信号）にＤ／Ａ変換する。増幅回路８は、ＤＡＣ７がＤ／Ａ変換したアナログオーディオデータを増幅し、ヘッドホン１０１又はヘッドホン１０２に出力する。無線モジュール９は、Ｂｌｕｅｔｏｏｔｈ（登録商標）規格、Ｗｉ−Ｆｉ規格に従った無線通信を行うためのものである。ＵＳＢ  Ｉ／Ｆ１０は、ＵＳＢ規格に従った通信を行うためのものである。
【００２９】
ＤＡＰ１は、Ａｎｄｒｏｉｄ（登録商標）  ＯＳを搭載している。音楽再生時、ＣＰＵ２は、基本的には、Ａｎｄｒｏｉｄ（登録商標）が提供するAudio Framework（フレームワーク）に従って音楽再生を行う。図２は、ＤＡＰ１におけるオーディオデータの流れを示す図である。まず、アプリケーションからフレームワークにデジタルオーディオデータが出力される。フレームワークには、オーディオシステム（Audio system）と、ミキサー（Mixer）と、が含まれる。オーディオシステムは、デジタルオーディオデータの入出力関連の設定を行うモジュールである。ミキサーは、複数のトラックを結合し、ボリュームの減衰とエフェクトとを適用するモジュールである。ＣＰＵ２は、オーディオシステムとミキサーとに従って処理を実行する。
【００３０】
デジタルオーディオデータは、ＤＳＰ６、無線モジュール９（図２における「ＢＴ」及び「Ｗｉ−Ｆｉ」）、ＵＳＢ  Ｉ／Ｆ１０に出力される。図２において、「ＢＴ」では、Ｂｌｕｅｔｏｏｔｈ（登録商標）規格に従って、外部装置にデジタルオーディオデータが出力される。「ＵＳＢ」では、ＵＳＢ規格（USB audio class）に従って、外部装置にデジタルオーディオデータが出力される。「Ｗｉ−Ｆｉ」では、Ｗｉ−Ｆｉ規格に従って、外部装置にデジタルオーディオデータが出力される。
【００３１】
ＤＳＰ６は、デジタルオーディオデータをデコード等してスピーカー１１、ＤＡＣ７に出力する。ＤＡＣ７は、デジタルオーディオデータをアナログオーディオデータにＤ／Ａ変換して、ラインアウト出力端子（ラインアウト）、アンバランス出力端子（ヘッドホン（アンバランス））、バランス出力端子（ヘッドホン（バランス））に出力する。ＤＡＣ７は、ボリューム調整機能を有する。
【００３２】
ＤＡＰ１は、図２に示す、ボリューム上限設定、オートボリューム、ＬＲバランス処理、ボリューム処理、ゲインコントロール、欧州音圧規制を含む複数のボリューム制御（音量制御）を有する。以下、各ボリューム制御について説明する。
【００３３】
（ボリューム処理（音量処理））
図３は、ＤＡＰ１におけるボリューム（音量）の変化を示す図である。ＤＡＰ１のボリュームステップは、０−１６０の１６１ステップである。図３おいて、横軸は、ステップ数を示す。縦軸は、ゲイン（ｄＢ）を示す。ステップ１６０では、０ｄＢである。１ステップ下がる毎の、ボリュームの減衰量は、０．５ｄＢである。ステップ１では、−７９．５ｄＢである。ステップ０では、−∞、すなわち、ミュート状態である。ＣＰＵ２は、表示部４に示すユーザーインターフェース（ＵＩ）により、ユーザーからのボリューム調整の指示を受け付ける。そして、ＣＰＵ２は、受け付けたボリュームに調整する。
【００３４】
（ボリューム上限設定（音量上限設定））
ユーザーは、ＤＡＰ１から出力されるボリュームの上限ステップを設定することができる。ＣＰＵ２は、表示部４に示すユーザーインターフェース（ＵＩ）により、ユーザーからの上限ステップの指示を受け付ける。そして、ＣＰＵ２は、受け付けた上限にボリュームを制限する。
【００３５】
（ＬＲバランス処理）
ユーザーは、Ｌチャンネル、Ｒチャンネルのボリュームを調整することができる。ＣＰＵ２は、表示部４に示すユーザーインターフェース（ＵＩ）により、ユーザーからのＬチャンネル、Ｒチャンネルのボリューム調整の指示を受け付ける。ＣＰＵ２は、図４に示すように、受け付けたステップをメインボリュームから減衰する。このように、ＣＰＵ２は、Ｌチャンネル、Ｒチャンネルのボリュームバランスを調整する。
【００３６】
（オートボリューム（自動音量調整））
ＤＡＰ１は、増幅回路８が備える２つの増幅器のうち、一方の増幅器でアナログオーディオデータを増幅し、他方の増幅器でグラウンドを維持するアクティブコントロールグラウンド（以下、「ＡＣＧ」）モードを有する。バランスモードのボリュームは、ＡＣＧモードのボリュームの倍である。オートボリュームにおいて、ＣＰＵ２は、ＡＣＧモードに比べて、バランスモードでは、ボリュームを６ｄＢ減少させる。すなわち、ＣＰＵ２は、一方のモードから他方のモードへの切替時に、ボリュームを自動的に調整する。ＣＰＵ２は、ＡＣＧモードからバランスモードへの切替時に、ボリュームを６ｄＢ減少させる。また、ＣＰＵ２は、バランスモードからＡＣＧモードへの切替時に、ボリュームを６ｄＢ上昇させる。
【００３７】
（ゲインコントロール（ゲイン制御））
ヘッドホン（バランス、アンバランス）によっては、インピーダンスが異なる。このため、ユーザーは、ヘッドホンのインピーダンスによって、適したゲインを設定することができる。例えば、ハイ（０ｄＢ）、ノーマル（−６ｄＢ）、ロー（−１２ｄＢ）を設定することができる。ＤＡＣ７は、ＣＰＵ２が設定を受け付けた値を減衰する。このように、ＤＡＣ７は、ヘッドホンのインピーダンスに応じてゲインをコントロールする。
【００３８】
（欧州音圧規制）
欧州では、音圧規制が製品に義務化されている。音圧規制では、規定された条件下で出力可能な音圧レベルが規定されている。ＤＡＣ７は、欧州音圧規制で定義される音圧レベルを上限に、ボリュームを制限する。
【００３９】
ボリューム上限設定、オートボリュームは、オーディオシステムに含まれる。従って、ＣＰＵ２は、オーディオシステムに従って、ボリューム上限設定、オートボリュームを行う。また、ＬＲバランス処理、ボリューム処理は、ミキサーに含まれる。従って、ＣＰＵ２は、ミキサーに従って、ＬＲバランス処理、ボリューム処理を行う。また、ＤＡＣ７は、ゲインコントロール、欧州音圧規制を行う。
【００４０】
図５は、入出力に対して実行されるボリューム制御を示す図である。「音楽再生アプリケーション」は、音楽再生アプリケーションからのデジタルオーディオデータを示す。「メディア」は、音楽再生アプリケーション以外のアプリケーションからのデジタルオーディオデータを示す。「通知」は、通知（着信）用のデジタルオーディオデータを示す。「アラーム」は、アラーム用のデジタルオーディオデータを示す。
【００４１】
「ハイレゾリューションオーディオ出力」は、専用のＡＰＩを介して、ヘッドホン（バランス又はアンバランス）に出力される経路である。「標準ヘッドホン出力」は、標準のＡｎｄｒｏｉｄ（登録商標）  ＡＰＩを介して、ヘッドホン（バランス又はアンバランス）に出力される経路である。「ＵＳＢ出力」は、標準のＡＰＩを介して、ＵＳＢオーディオデバイスに出力される経路である。「スピーカー出力」は、標準のＡＰＩを介して、スピーカー１１に出力される経路である。「ＢＴ出力」は、標準のＡＰＩを介して、Ｂｌｕｅｔｏｏｔｈ（登録商標）に対応した外部装置に出力される経路である。「Ｗｉ−Ｆｉ出力」は、Ｗｉ−Ｆｉに対応した外部装置に出力される経路である。このように、ＤＡＰ１は、複数の出力を有する。
【００４２】
音楽再生アプリケーションからのデジタルオーディオデータは、全ての経路に入力される。音楽再生アプリケーション以外のアプリケーションからのデジタルオーディオデータ、通知用、アラーム用のデジタルオーディオデータは、標準ヘッドホン出力、ＵＳＢ出力、スピーカー出力、ＢＴ出力、Ｗｉ−Ｆｉ出力の経路に入力される。各経路において行われるボリューム制御が、数字で示されている。「１」は、ＬＲバランス処理を示す。「２」は、ゲインコントロールを示す。「３」は、ボリューム上限設定を示す。「４」は、欧州音圧規制を示す。「５」は、オートボリュームを示す。「６」は、ボリューム処理を示す。
【００４３】
ハイレゾリューションオーディオ出力のうち、アンバランスのヘッドホンに出力される経路では、バランス処理、ゲインコントロール、ボリューム上限設定、欧州音圧規制、ボリューム処理が実行される。ハイレゾリューションオーディオ出力のうち、バランスのヘッドホンに出力される経路では、バランス処理、ゲインコントロール、ボリューム上限設定、欧州音圧規制、オートボリューム、ボリューム処理が実行される。標準ヘッドホン出力のうち、アンバランスのヘッドホンに出力される経路では、バランス処理、ゲインコントロール、ボリューム上限設定、欧州音圧規制、ボリューム処理が実行される。標準ヘッドホン出力のうち、バランスのヘッドホンに出力される経路では、バランス処理、ゲインコントロール、ボリューム上限設定、欧州音圧規制、オートボリューム、ボリューム処理が実行される。
【００４４】
ＵＳＢ出力、スピーカー出力、ＢＴ出力、Ｗｉ−Ｆｉ出力では、ＬＲバランス処理、ボリューム上限設定、ボリューム処理が実行される。
【００４５】
図６は、入出力に対して実行されるボリューム制御を示す表である。「○」は、実行さされるボリューム制御を示す。「×」は、実行されないボリューム制御を示す。図６に示すように、ラインアウト出力では、全てのボリューム制御が実行されない。すなわち、ラインアウト出力では、ボリュームが最大（０ｄＢ）となる。
【００４６】
図５及び図６に示すように、ゲインコントロールと欧州音圧規制とは、ヘッドホン１０１、１０２のみに関するボリューム制御である。図２に示すように、ヘッドホン１０１、１０２のみに関するボリューム制御であるゲインコントロールと欧州音圧規制とは、ヘッドホン出力から最も近くでボリューム調整機能を有するＤＡＣ７により実行される。
【００４７】
また、図５及び図６に示すように、ボリューム処理と、ボリューム上限設定と、ＬＲバランス処理と、オートボリュームとは、ヘッドホン１０１、１０２のみに関するボリューム制御を除くボリューム制御である。ヘッドホン１０１、１０２のみに関するボリューム制御を除くボリューム制御は、ＣＰＵ２により実行される。
【００４８】
バランス方式のヘッドホン１０１には、図５及び図６に示すように、全てのボリューム制御が実行されたアナログオーディオデータが出力される。また、アンバランス方式のヘッドホン１０２には、図５及び図６に示すように、オートボリューム以外のボリューム制御が実行されたアナログオーディオデータが出力される。ヘッドホン１０１、１０２以外のＵＳＢ規格に従った外部装置、スピーカー１１、Ｂｌｕｅｔｏｏｔｈ（登録商標）規格に従った外部装置、Ｗｉ−Ｆｉ規格に従った外部装置には、ボリューム処理と、ＬＲバランス処理と、ボリューム上限設定と、が実行されたオーディオデータが出力される。
【００４９】
例えば、ヘッドホン１０１、１０２のみに関するボリューム制御として、欧州における音圧規制がある。ヘッドホン１０１、１０２のみに関するボリューム制御は、ヘッドホン出力以外のスピーカー出力等に行う必要はない。このため、本実施形態では、ヘッドホン１０１、１０２のみに関するボリューム制御を、ヘッドホン出力から最も近くでボリューム調整機能を有するＤＡＣ７が実行する。このように、本実施形態によれば、出力に応じて、適切なボリューム制御が実行される。
【００５０】
また、本実施形態では、ＣＰＵ２は、複数のボリューム制御のうち、ヘッドホン１０１、１０２のみに関するボリューム制御を除くボリューム制御を実行する。これにより、ヘッドホン出力を含む複数の出力に、ヘッドホン１０１、１０２のみに関するボリューム制御を除くボリューム制御が実行される。
【００５１】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５２】
上述の実施形態においては、音楽再生装置として、ＤＡＰを例示した。これに限らず、スマートフォン、タブレットＰＣ、ＵＳＢ  ＤＡＣ等であってもよい。
【産業上の利用可能性】
【００５３】
本発明は、音声信号を出力する音楽再生装置に好適に採用され得る。
【符号の説明】
【００５４】
１  ＤＡＰ（音楽再生装置）
２  ＣＰＵ（制御部）
６  ＤＳＰ
７  ＤＡＣ（Ｄ／Ａコンバーター）
８  増幅回路
９  無線モジュール
１０  ＵＳＢ  Ｉ／Ｆ
１１  スピーカー
１０１  ヘッドホン
１０２  ヘッドホン
【図１】
2017050671.tif 000003
【図２】
2017050671.tif 000004
【図３】
2017050671.tif 000005
【図４】
2017050671.tif 000006
【図５】
2017050671.tif 000007
【図６】
2017050671.tif 000008
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
複数の音量制御を有する音楽再生装置であって、
デジタル音声信号をアナログ音声信号に変換するＤ／Ａコンバーターと、
制御部と、を備え、
ヘッドホンのみに関する音量制御を、音量調整機能を有する前記Ｄ／Ａコンバーターが実行し、
前記制御部は、前記複数の音量制御のうち、前記ヘッドホンのみに関する音量制御を除く音量制御を実行することを特徴とする音楽再生装置。
【請求項２】
前記ヘッドホンのみに関する音量制御は、ヘッドホンのインピーダンスに応じてゲインを制御するゲイン制御であることを特徴とする請求項１に記載の音楽再生装置。
【請求項３】
前記ヘッドホンのみに関する音量制御は、所定の音圧レベルを上限に音量を制限する音圧規制であることを特徴とする請求項１に記載の音楽再生装置。
【請求項４】
前記ヘッドホンのみに関する音量制御を除く音量制御は、受け付けた音量に調整する音量処理であることを特徴とする請求項１に記載の音楽再生装置。
【請求項５】
前記ヘッドホンのみに関する音量制御を除く音量制御は、受け付けた上限に音量を制限する音量上限設定であることを特徴とする請求項１に記載の音楽再生装置。
【請求項６】
前記ヘッドホンのみに関する音量制御を除く音量制御は、Ｌチャンネル、Ｒチャンネルの音量バランスを調整するＬＲバランス処理であることを特徴とする請求項１に記載の音楽再生装置。
【請求項７】
前記ヘッドホンのみに関する音量制御は、
ヘッドホンのインピーダンスに応じてゲインを制御するゲイン制御と、
所定の音圧レベルを上限に音量を制限する音圧規制と、であり、
前記ヘッドホンのみに関する音量制御を除く音量制御は、
受け付けた音量に調整する音量処理と、
受け付けた上限に音量を制限する音量上限設定と、
Ｌチャンネル、Ｒチャンネルの音量バランスを調整するＬＲバランス処理と、
であることを特徴とする請求項１に記載の音楽再生装置。
【請求項８】
バランス方式のヘッドホンには、全ての音量制御が実行された音声信号が出力されることを特徴とする請求項７に記載の音楽再生装置。
【請求項９】
ヘッドホン以外には、前記音量処理と、前記ＬＲバランス処理と、前記音量上限設定と、が実行された音声信号が出力されることを特徴とする請求項７に記載の音楽再生装置。
【請求項１０】
ラインアウト出力には、全ての音量制御が実行されていない音声信号が出力されることを特徴とする請求項７に記載の音楽再生装置。